(57)【要約】【課題】  単一建物によって広い間取りを形成でき、かつ間取りプランの自由度を向上すること。【解決手段】  ４本の柱１１と、長辺側の各２本の桁床梁１２、桁天井梁１３と、短辺側の各２本の妻床梁１４、妻天井梁１５を骨組みしてなる建物ユニットにおいて、平面視で相並ぶ２つの長辺の一方側で上下に相対する桁床梁１２と桁天井梁１３の梁長手方向の中間部に中間柱１６、１７を接合するとともに、それら２つの長辺の他方側で上下に相対する桁床梁１２と桁天井梁１３の梁長手方向の中間部に中間柱１６、１７を接合し、両中間柱１６、１７の接合位置を互いにずらしてなるもの。【選択図】  図１
2006144308.tif 000002
【特許請求の範囲】
【請求項１】
４本の柱と、長辺側の各２本の桁床梁、桁天井梁と、短辺側の各２本の妻床梁、妻天井梁を骨組みしてなる建物ユニットにおいて、
平面視で相並ぶ２つの長辺の一方側で上下に相対する桁床梁と桁天井梁の梁長手方向の中間部に中間柱を接合するとともに、それら２つの長辺の他方側で上下に相対する桁床梁と桁天井梁の梁長手方向の中間部に中間柱を接合し、両中間柱の接合位置を互いにずらしてなることを特徴とする建物ユニット。
【発明の詳細な説明】
【技術分野】
【０００１】
本発明は建物ユニットに関する。
【背景技術】
【０００２】
複数の建物ユニットを隣接設置して構築されるユニット建物において、相隣る建物ユニットに跨がる広い間取りを形成可能にするため、特許文献１、２に記載の建物ユニットがある。
【０００３】
特許文献１は、４個の互いに突き合せ配置される建物ユニットの中央部の４本の柱を省略し、それら４個の建物ユニットにより大長辺サイズ（スパン）のユニット建物を構築するため、それら４個の建物ユニットの上側の梁の間にそれらの梁断面よりも大きな補強梁を設置する。
【０００４】
特許文献２は、２つの建物ユニットを接続するに際し、各建物ユニットの４本の柱のうちの２本の柱のそれぞれを、平面視で相並ぶ２つの長辺のそれぞれの側で、上下に相対する桁床梁と桁天井梁の梁長手方向の中間部に接合される中間柱とする。更に、中間柱が接合された長辺側の桁床梁と桁天井梁の梁長手方向の一端部には柱を接合しない。そして、２つの建物ユニットのそれぞれにおける桁床梁と桁天井梁の柱が接合されない各端部同士を相突き合せて接合し、両建物ユニットの接合面から柱をなくし、両建物ユニットに跨がる広い間取りを形成する。
【特許文献１】特開平8-277580
【特許文献２】特開平9-177178
【発明の開示】
【発明が解決しようとする課題】
【０００５】
特許文献１の建物ユニットでは、広い間取りを形成するために４個の建物ユニットを接合してそれらに跨がる間取りを形成する必要がある上に、大断面の補強梁を設置する必要があり、施工が複雑になる。
【０００６】
特許文献２の建物ユニットでは、広い間取りを形成するために２個の建物ユニットを接合してそれらに跨がる間取りを形成する必要がある上に、建物ユニットの平面視で相並ぶ２つの長辺のそれぞれに設けた中間柱の位置を互いに同一位置（相並ぶ２つの長辺に沿う同一位置）に限定配置するものであるため、この中間柱の位置が間取りプラン上の制約になる。
【０００７】
本発明の課題は、単一建物によって広い間取りを形成でき、かつ間取りプランの自由度を向上することにある。
【課題を解決するための手段】
【０００８】
請求項１の発明は、４本の柱と、長辺側の各２本の桁床梁、桁天井梁と、短辺側の各２本の妻床梁、妻天井梁を骨組みしてなる建物ユニットにおいて、平面視で相並ぶ２つの長辺の一方側で上下に相対する桁床梁と桁天井梁の梁長手方向の中間部に中間柱を接合するとともに、それら２つの長辺の他方側で上下に相対する桁床梁と桁天井梁の梁長手方向の中間部に中間柱を接合し、両中間柱の接合位置を互いにずらしてなるようにしたものである。
【発明の効果】
【０００９】
（請求項１）
(a)建物ユニットの大長辺サイズ（スパン）の桁床梁と桁天井梁の中間部に中間柱を設
けたことにより、建物ユニットの柱、梁の外形、板厚を大きくしたり、補強梁を用いることなく、単一の建物ユニットによって広い間取りを形成できる。
【００１０】
(b)建物ユニットの平面視で相並ぶ２つの長辺のそれぞれに設けた中間柱の位置を互い
にずらすものであるから、互いに同一位置に限定配置するものと異なり、それらの中間柱をユニット建物の間取りプランに合せて支障のない位置に設けることができる。従って、間取りプランの自由度を向上することができる。
【発明を実施するための最良の形態】
【００１１】
図１は建物ユニットを示し、（Ａ）は斜視図、（Ｂ）は模式斜視図、（Ｃ）は模式平面図、図２は中間柱の接合構造の一例を示し、（Ａ）は断面図、（Ｂ）は側面図、図３は中間柱の接合構造の他の例を示し、（Ａ）は断面図、（Ｂ）は側面図、図４は間取りプランの例１を示す平面図、図５は間取りプランの例２を示す平面図、図６は間取りプランの例３を示す平面図、図７は間取りプランの例４を示す平面図である。
【実施例】
【００１２】
図１の建物ユニット１０は、工場生産段階で、４本の柱１１と、長辺側（桁側）の各２本の桁床梁１２、桁天井梁１３と、短辺側（妻側）の各２本の妻床梁１４、妻天井梁１５を箱形に骨組みして構成されるラーメン構造体である。
【００１３】
ここで、建物ユニット１０は、平面視（図１（Ｃ））で相並ぶ２つの長辺（桁面）の一方側で上下に相対する大スパンＬの桁床梁１２と桁天井梁１３の梁長手方向の中間部に中間柱１６を接合して立設する。桁床梁１２、桁天井梁１３の一端側の柱１１と中間柱１６の間隔をＬ1とする。また、相並ぶそれら２つの長辺（桁面）の他方側で上下に相対する
大スパンＬの桁床梁１２と桁天井梁１３の梁長手方向の中間部に中間柱１７を接合して立設する。桁床梁１２、桁天井梁１３の一端側の柱１１と中間柱１７の間隔をＬ2とする。
【００１４】
更に、建物ユニット１０は、平面視（又は正面視）で、両中間柱１６、１７の接合位置（立設位置）を互いにずらしている。即ち、Ｌ1≠Ｌ2である。
【００１５】
中間柱１６（中間柱１７も同じ）と桁天井梁１３との接合構造（桁床梁１２との接合構造も同じ）は、例えば図２又は図３に示すものを採用できる。
【００１６】
図２の接合構造は、角鋼管製中間柱１６の外側面の上端延長部を直角に内側に折り曲げた取付片２１とし、中間柱１６の取付片２１をＣ形鋼製桁天井梁１３の下フランジの下面に添設し、桁天井梁１３の下フランジと中間柱１６の取付片２１をボルト２２、ナット２２Ａで締結する。
【００１７】
図３の接合構造は、角鋼管製中間柱１６の上端面に平板状取付プレート３１を溶接し、中間柱１６の取付プレート３１をＣ形鋼製桁天井梁１３の下フランジの下面に添設し、桁天井梁１３の下フランジと中間柱１６の取付プレート３１をボルト３２、ナット３２Ａで締結する。
【００１８】
建物ユニット１０は、工場生産された他の建物ユニットとともに建築現場に輸送され、建築現場に設けてある基礎上に他の建物ユニットとともに隣接設置されてユニット建物（例えば図４〜図７のユニット建物１Ａ〜１Ｄ）を構築する。
【００１９】
以下、建物ユニット１０を用いたユニット建物１Ａ〜１Ｄの間取りプランの例について
説明する（図４〜図７）。
【００２０】
（例１）（図４）
ユニット建物１Ａを構成する建物ユニット１０は、２つの長辺（桁面）のそれぞれに設ける中間柱１６と中間柱１７の接合位置（立設位置）を互いにずらした。建物ユニット１０の一方の長辺（桁面）側の中間柱１６は、リビングルーム１０１を遮らない、階段室１０２の側傍位置（桁床梁１２、桁天井梁１３の一端側の柱１１との間隔Ｌ1）に立設され
た。このとき、建物ユニット１０は、他方の長辺（桁面）側の中間柱１７を、中間柱１６と異なる位置（桁床梁１２、桁天井梁１３の一端側の柱１１との間隔Ｌ2）にある洗面室
１０３の隔壁内に立設し、結果として建物ユニット１０の他方の長辺（桁面）側で中間柱１６と同一をなす位置（桁床梁１２、桁天井梁１３の一端側の柱１１との間隔Ｌ1）に洗
面室１０３を設けることができるようにしたものである。
【００２１】
（例２）（図５）
ユニット建物１Ｂを構成する建物ユニット１０は、２つの長辺（桁面）のそれぞれに設ける中間柱１６と中間柱１７の接合位置（立設位置）を互いにずらした。建物ユニット１０の一方の長辺（桁面）側の中間柱１６は、居間１１１を遮らない、間仕切１１２の壁内位置（桁床梁１２、桁天井梁１３の一端側の柱１１との間隔Ｌ1）に立設された。このと
き、建物ユニット１０は、他方の長辺（桁面）側の中間柱１７を、中間柱１６と異なる位置（桁床梁１２、桁天井梁１３の一端側の柱１１との間隔Ｌ2）にある通路１１３の隔壁
内に立設し、結果として建物ユニット１０の他方の長辺（桁面）側で中間柱１６と同一をなす位置（桁床梁１２、桁天井梁１３の一端側の柱１１との間隔Ｌ1）に通路１１３を設
けることができるようにしたものである。
【００２２】
（例３）（図６）
ユニット建物１Ｃを構成する建物ユニット１０は、２つの長辺（桁面）のそれぞれに設ける中間柱１６と中間柱１７の接合位置（立設位置）を互いにずらした。建物ユニット１０の一方の長辺（桁面）側の中間柱１６は、リビングルーム１２１を遮らない、ドア１２２の側傍位置（桁床梁１２、桁天井梁１３の一端側の柱１１との間隔Ｌ1）に立設された
。このとき、建物ユニット１０は、他方の長辺（桁面）側の中間柱１７を、中間柱１６と異なる位置（桁床梁１２、桁天井梁１３の一端側の柱１１との間隔Ｌ2）にある通路１２
３の隔壁内に立設し、結果として建物ユニット１０の他方の長辺（桁面）側で中間柱１６と同一をなす位置（桁床梁１２、桁天井梁１３の一端側の柱１１との間隔Ｌ1）に通路１
２３を設けることができるようにしたものである。
【００２３】
（例４）（図７）
ユニット建物１Ｄは２つの建物ユニット１０Ａ、１０Ｂのそれぞれにおいて、２つの長辺（桁面）のそれぞれに設ける中間柱１６と中間柱１７の接合位置（立設位置）を互いにずらした。
【００２４】
建物ユニット１０Ａの一方の長辺（桁面）側の中間柱１６は、子供室１３１を遮らない、子供室１３１の隔壁内（桁床梁１２、桁天井梁１３の一端側の柱１１との間隔Ｌ1）に
立設された。このとき、建物ユニット１０Ａは、他方の長辺（桁面）側の中間柱１７を、中間柱１６と異なる位置（桁床梁１２、桁天井梁１３の一端側の柱１１との間隔Ｌ2）に
ある通路１３２の隔壁内に立設し、結果として建物ユニット１０Ａの他方の長辺（桁面）側で中間柱１６と同一をなす位置（桁床梁１２、桁天井梁１３の一端側の柱１１との間隔Ｌ1）に通路１３２を設けることができるようにしたものである。
【００２５】
建物ユニット１０Ｂの一方の長辺（桁面）側の中間柱１６は、通路１３２を遮らない、通路１３２の隔壁内（桁床梁１２、桁天井梁１３の一端側の柱１１との間隔Ｌ1）に立設
された。このとき、建物ユニット１０Ｂは、他方の長辺（桁面）側の中間柱１７を、中間柱１６と異なる位置（桁床梁１２、桁天井梁１３の一端側の柱１１との間隔Ｌ2）にある
トイレ１３３の隔壁内に立設し、結果として建物ユニット１０Ｂの他方の長辺（桁面）側で中間柱１６と同一をなす位置（桁床梁１２、桁天井梁１３の一端側の柱１１との間隔Ｌ1）にトイレ１３３を設けることができるようにしたものである。
【００２６】
本実施例によれば、ユニット建物１Ａ〜１Ｄの構築に際し、建物ユニット１０（１０Ａ、１０Ｂ）を用いたから以下の作用効果を奏する。
【００２７】
(a)建物ユニット１０（１０Ａ、１０Ｂ）の大長辺サイズ（スパン）の桁床梁１２と桁
天井梁１３の中間部に中間柱１６、１７を設けたことにより、建物ユニット１０（１０Ａ、１０Ｂ）の柱、梁の外形、板厚を大きくしたり、補強梁を用いることなく、単一の建物ユニット１０（１０Ａ、１０Ｂ）によって広い間取りを形成できる。
【００２８】
(b)建物ユニット１０（１０Ａ、１０Ｂ）の平面視で相並ぶ２つの長辺のそれぞれに設
けた中間柱１６、１７の位置を互いにずらすものであるから、互いに同一位置に限定配置するものと異なり、それらの中間柱１６、１７をユニット建物１Ａ〜１Ｄの間取りプランに合せて支障のない位置に設けることができる。従って、間取りプランの自由度を向上することができる。
【００２９】
以上、本発明の実施例を図面により記述したが、本発明の具体的な構成はこの実施例に限られるものではなく、本発明の要旨を逸脱しない範囲の設計の変更等があっても本発明に含まれる。
【図面の簡単な説明】
【００３０】
【図１】図１は建物ユニットを示し、（Ａ）は斜視図、（Ｂ）は模式斜視図、（Ｃ）は模式平面図である。
【図２】図２は中間柱の接合構造の一例を示し、（Ａ）は断面図、（Ｂ）は側面図である。
【図３】図３は中間柱の接合構造の他の例を示し、（Ａ）は断面図、（Ｂ）は側面図である。
【図４】図４は間取りプランの例１を示す平面図である。
【図５】図５は間取りプランの例２を示す平面図である。
【図６】図６は間取りプランの例３を示す平面図である。
【図７】図７は間取りプランの例４を示す平面図である。
【符号の説明】
【００３１】
１０、１０Ａ、１０Ｂ  建物ユニット
１１  柱
１２  桁床梁
１３  桁天井梁
１４  妻床梁
１５  妻天井梁
１６、１７  中間柱
に含まれる。
【図１】
2006144308.tif 000003
【図２】
2006144308.tif 000004
【図３】
2006144308.tif 000005
【図４】
2006144308.tif 000006
【図５】
2006144308.tif 000007
【図６】
2006144308.tif 000008
【図７】
2006144308.tif 000009